(57)【要約】      （修正有）【課題】構造が簡単であり、開き易く、第１弾性部材によって傘ろくろを引っ張り、傘ろくろの上向きの作用力を確保し、外観がよく、実用性が強く、安全性が高い自動外折傘を提供する。【解決手段】自動外折傘は、手元、傘骨、中棒、傘ろくろ、第１生地および第２生地を備える。手元１は、中棒３の一端に接続する。中棒の他端は、傘ろくろ４を貫通する。傘骨２は、傘ろくろに接続する。第１生地と第２生地は、それぞれ傘骨に接続する。傘骨２は、第１フレーム５、第２フレーム６、第３フレーム７、第４フレーム８および第１弾性部材９を備える。傘ろくろ４には、第１取付溝１０、第２取付溝１１および第３取付溝１２が設けられる。中棒３の他端には、第４取付溝１３が設けられる。【選択図】図１
0003205623.tif 000002
【実用新案登録請求の範囲】
【請求項１】
自動外折傘であって、
手元と、傘骨と、中棒と、傘ろくろと、第１生地と、第２生地とを備え、
前記手元は、前記中棒の一端に接続し、
前記中棒の他端は、前記傘ろくろを貫通し、
前記傘骨は、前記傘ろくろに接続し、
前記第１生地と前記第２生地は、それぞれ前記傘骨に接続し、
前記傘骨は、第１フレームと、第２フレームと、第３フレームと、第４フレームと、第１弾性部材とを備え、
前記傘ろくろには、第１取付溝、第２取付溝および第３取付溝が設けられ、
前記中棒の他端には、第４取付溝が設けられ、
前記第１フレームは、前記第１取付溝に接続し、
前記第１弾性部材の一端は、前記第２取付溝に接続し、
前記第２フレームは、第３取付溝に接続し、
前記第３フレームの一端は、前記第４取付溝に接続し、
前記第４フレームは、一端が前記第１フレームに接続し、他端が前記第３フレームに接続し、
前記第１弾性部材の他端は、前記第２フレームに接続し、
前記第２フレームの他端は、前記第３フレームに接続する、自動外折傘。
【請求項２】
前記第３フレームと前記第４フレームとの接合部には、第１ヒンジ部が設けられ、
前記第１ヒンジ部は、一端が前記第３フレームに接続され、他端が前記第４フレームに接続する、ことを特徴とする請求項１に記載の自動外折傘。
【請求項３】
前記第２フレームと前記第３フレームとの接合部には、第２ヒンジ部が設けられ、
前記第２ヒンジ部は、一端が前記第２フレームに接続し、他端が前記第３フレームに接続する、ことを特徴とする請求項１に記載の自動外折傘。
【請求項４】
前記第４フレームと前記第１フレームとの接合部には、第３ヒンジ部が設けられ、
前記第３ヒンジ部は、一端が前記第４フレームに接続し、他端が前記第１フレームに接続する、ことを特徴とする請求項１に記載の自動外折傘。
【請求項５】
前記第４フレームには、連結部材が設けられ、
前記連結部材は、前記第４フレームとヒンジ接続され、
前記連結部材には、貫通溝が設けられ、
前記第１フレームは、前記貫通溝を貫通する、ことを特徴とする請求項１に記載の自動外折傘。
【請求項６】
前記連結部材には、第２弾性部材が設けられ、
前記第２弾性部材は、一端が前記連結部材に接続し、他端が前記第３フレームに接続する、ことを特徴とする請求項５に記載の自動外折傘。
【請求項７】
前記第２弾性部材は、引っ張りバネである、ことを特徴とする請求項６に記載の自動外折傘。
【請求項８】
前記第１生地は、前記第１フレームに接続し、
前記第２生地は、前記第３フレームと第４フレームに接続する、ことを特徴とする請求項１に記載の自動外折傘。
【請求項９】
前記第１弾性部材は、引っ張りバネである、ことを特徴とする請求項１に記載の自動外折傘。
【請求項１０】
前記中棒には、クリップが設けられ、前記クリップが前記傘ろくろに当接する、ことを特徴とする請求項１に記載の自動外折傘。
【考案の詳細な説明】
【技術分野】
【０００１】
本考案は、日用品の技術分野に関し、特に自動外折傘に関する。
【背景技術】
【０００２】
傘とは、日陰を提供し、または雨や雪を遮るものである。通常、傘の作製材料は、延性を有する生地、傘の骨としての他の材料、および糸を含んでいる。従来の外折傘は、構造が複雑であり、開傘のとき、両手で傘ろくろを押圧し、この場合、使い勝手が悪くなり、大きい力で傘を差さなければならなく、したがって、改善される必要がある。
【考案の概要】
【考案が解決しようとする課題】
【０００３】
本考案は、上述の欠点を解消するために、自動外折傘を提供する。本考案による自動外折傘は、構造が簡単であり、開き易く、外観がよく、実用性が強く、安全性が高い。
【課題を解決するための手段】
【０００４】
本考案は、上述の目的を実現するために、次の技術案を使用する。
【０００５】
自動外折傘は、手元、傘骨、中棒、傘ろくろ、第１生地および第２生地を備える。前記手元は、前記中棒の一端に接続する。前記中棒の他端は、前記傘ろくろを貫通する。前記傘骨は、前記傘ろくろに接続する。前記第１生地と前記第２生地は、それぞれ前記傘骨に接続する。前記傘骨は、第１フレーム、第２フレーム、第３フレーム、第４フレームおよび第１弾性部材を備える。前記傘ろくろには、第１取付溝、第２取付溝および第３取付溝が設けられる。前記中棒の他端には、第４取付溝が設けられる。前記第１フレームは、前記第１取付溝に接続する。前記第１弾性部材の一端は、前記第２取付溝に接続する。前記第２フレームは、第３取付溝に接続する。前記第３フレームの一端は、前記第４取付溝に接続する。前記第４フレームの一端は、前記第１フレームに接続する。前記第４フレームの他端は、前記第３フレームに接続する。前記第１弾性部材の他端は、前記第２フレームに接続する。前記第２フレームの他端は、前記第３フレームに接続する。
【０００６】
前記第３フレームと前記第４フレームとの接合部には、第１ヒンジ部が設けられる。前記第１ヒンジ部の一端は、前記第３フレームに接続する。前記第１ヒンジ部の他端は、前記第４フレームに接続する。
【０００７】
前記第２フレームと前記第３フレームとの接合部には、第２ヒンジ部が設けられる。前記第２ヒンジ部の一端は、前記第２フレームに接続する。前記第２ヒンジ部の他端は、前記第３フレームに接続する。
【０００８】
前記第４フレームと前記第１フレームとの接合部には、第３ヒンジ部が設けられる。前記第３ヒンジ部の一端は、前記第４フレームに接続する。前記第３ヒンジ部の他端は、前記第１フレームに接続する。
【０００９】
前記第４フレームには、連結部材が設けられる。前記連結部材は、前記第４フレームとヒンジ接続する。前記連結部材には、貫通溝が設けられる。前記第１フレームは、前記貫通溝を貫通する。
【００１０】
前記連結部材には、第２弾性部材が設けられる。前記第２弾性部材の一端は、前記連結部材に接続する。前記第２弾性部材の他端は、前記第３フレームに接続する。
【００１１】
前記第２弾性部材は、引っ張りバネである。
【００１２】
前記第１生地は、前記第１フレームに接続し、前記第２生地は、前記第３フレームと第４フレームに接続する。
【００１３】
前記第１弾性部材は、引っ張りバネである。
【００１４】
前記中棒には、クリップが設けられ、前記クリップが前記傘ろくろに当接する。
【００１５】
本考案の有益な効果は、以下の通りである。本考案による自動外折傘は、手元、傘骨、中棒、傘ろくろ、第１生地および第２生地を備える。前記手元は、前記中棒の一端に接続する。前記中棒の他端は、前記傘ろくろを貫通する。前記傘骨は、前記傘ろくろに接続する。前記第１生地と前記第２生地は、それぞれ前記傘骨に接続する。前記傘骨は、第１フレーム、第２フレーム、第３フレーム、第４フレームおよび第１弾性部材を備える。前記傘ろくろには、第１取付溝、第２取付溝および第３取付溝が設けられる。前記中棒の他端には、第４取付溝が設けられる。前記第１フレームは、前記第１取付溝に接続する。前記第１弾性部材の一端は、前記第２取付溝に接続する。前記第２フレームは、第３取付溝に接続する。前記第３フレームの一端は、前記第４取付溝に接続する。前記第４フレームの一端は、前記第１フレームに接続する。前記第４フレームの他端は、前記第３フレームに接続する。前記第１弾性部材の他端は、前記第２フレームに接続する。前記第２フレームの他端は、前記第３フレームに接続する。当該外折傘は、構造が簡単であり、開き易く、第１弾性部材によって傘ろくろを引っ張り、傘ろくろの上向きの作用力を確保し、外観がよく、実用性が強く、安全性が高い。
【図面の簡単な説明】
【００１６】
図面を参照して本考案につい詳しく説明する。しかし、図面における実施例は、本考案を限定するものではない。
【図１】図１は，本考案の自動外折傘の構造の模式図である。
【図２】図２は，本考案の傘ろくろの構造の模式図である。
【図３】図３は、自動外折傘の軸方向図。
【図４】図４は、自動外折傘の内部構造の模式図。
【考案を実施するための形態】
【００１７】
以下は、図面と実施例により、本考案に対してさらに説明し、本考案の好ましい実施例である。
【実施例】
【００１８】
図１〜４に示すように、本考案による自動外折傘は、手元１、傘骨２、中棒３、傘ろくろ４、第１生地２０および第２生地２１を備える。前記手元１は、前記中棒３の一端に接続する。前記中棒３の他端は、前記傘ろくろ４を貫通する。前記傘骨２は、前記傘ろくろ４に接続する。前記第１生地２０と前記第２生地２１は、それぞれ前記傘骨２に接続する。前記傘骨２は、第１フレーム５、第２フレーム６、第３フレーム７、第４フレーム８および第１弾性部材９を備える。前記傘ろくろ４には、第１取付溝１０、第２取付溝１１および第３取付溝１２が設けられる。前記中棒３の他端には、第４取付溝１３が設けられる。前記第１フレーム５は、前記第１取付溝１０に接続する。前記第１弾性部材９の一端は、前記第２取付溝１１に接続する。前記第２フレーム６は、第３取付溝１２に接続する。前記第３フレーム７の一端は、前記第４取付溝１３に接続する。前記第４フレーム８の一端は、前記第１フレーム５に接続する。前記第４フレーム８の他端は、前記第３フレーム７に接続する。前記第１弾性部材９の他端は、前記第２フレーム６に接続する。前記第２フレーム６の他端は、前記第３フレーム７に接続する。当該外折傘は、構造が簡単であり、開き易く、第１弾性部材９によって傘ろくろ４を引っ張り、傘ろくろ４の上向きの作用力を確保する。傘は、閉じられたとき、立てた状態で直接地面に置かれ、第４フレーム８によって支持され、外観がよく、実用性が強く、安全性が高い。
【００１９】
この実施例による第３フレーム７と前記第４フレーム８との接合部には、第１ヒンジ部１４が設けられる。前記第１ヒンジ部１４の一端は、前記第３フレーム７に接続する。前記第１ヒンジ部１４の他端は、前記第４フレーム８に接続する。この構造は、簡単であり、成形が容易である。傘を閉じるとき、第３フレーム７と第４フレーム８は互いに折りたたまれ、実用性は高い。
【００２０】
この実施例による第２フレーム６と前記第３フレーム７との接合部には、第２ヒンジ部１５が設けられる。前記第２ヒンジ部１５の一端は、前記第２フレーム６に接続する。前記第２ヒンジ部１５の他端は、前記第３フレーム７に接続する。この構造は、傘を閉じるとき、第２ヒンジ部１５によって、第２フレーム６と第３フレーム７を互いに平行に配置させる。
【００２１】
この実施例による第４フレーム８と前記第１フレーム５との接合部には、第３ヒンジ部１６が設けられる。前記第３ヒンジ部１６の一端は、前記第４フレーム８に接続される。前記第３ヒンジ部１６の他端は、前記第１フレーム５に接続される。この構造は、傘を閉じるとき、第３ヒンジ部１６によって、第１フレーム５第２フレーム６を互いに平行に配置させる。
【００２２】
この実施例による第４フレーム８には、連結部材１７が設けられる。前記連結部材１７は、前記第４フレーム８とヒンジ接続する。前記連結部材１７には、貫通溝が設けられる。前記第１フレーム５は、前記貫通溝を貫通する。この構造は、連結部材１７によって第４フレーム８と第１フレーム５との間の距離を確保し、簡単であり、実用性が強い。
【００２３】
この実施例による連結部材１７には、第２弾性部材１８が設けられる。前記第２弾性部材１８の一端は、前記連結部材１７に接続する。前記第２弾性部材１８の他端は、前記第３フレーム７に接続される。この構造は、第２弾性部材１８によって連結部材１７と第４フレーム８との間の角度を確保し、したがって、第４フレーム８と第１フレーム５との間の距離を確保する。
【００２４】
この実施例による第２弾性部材１８は、引っ張りバネである。第１弾性部材９は、引っ張りバネである。引っ張りバネは、弾性が強く、靭性が高く、荷重耐力が大きい。
【００２５】
この実施例による第１生地は、前記第１フレーム５に接続し、前記第２生地は、前記第３フレーム７と第４フレーム８に接続する。この構造は、簡単であり、成形が容易であり、実用性が強い。
【００２６】
この実施例による中棒３には、クリップ１９が設けられ、前記クリップ１９が前記傘ろくろ４に当接する。この構造は、クリップ１９によって閉じられた状態で傘を固定し、釦によって当接されたクリップ１９と傘ろくろ４が離脱され、これにより開傘が完了される。この構造は、簡単であり、配置が適切であり、実用性が強い。
【００２７】
最後、説明すべきことは、以上の実施例が本考案を説明するためのものであり、本考案の範囲を制限するものではない。本考案は、好ましい実施例を参照しながら説明されたが、本考案の要旨を逸脱しない範囲で当業者が本考案の技術案の修正や同等の置換を成し得ることは自明である。
【図１】
0003205623.tif 000003
【図２】
0003205623.tif 000004
【図３】
0003205623.tif 000005
【図４】
0003205623.tif 000006